(57)【要約】    【課題】  １つのバスバーを複数の配置態様で基板に取り付け可能とし、製造コストの削減及び部品管理の容易化を図る。    【解決手段】  基板１５上に導電性部品として取り付けられるバスバー１０において、四角板状の本体１１と、本体１１の両縁から本体１１に対して直角に且つ同方向に延びた２つの羽根部１４と、２つの羽根部１４の同じ側の側縁からそれぞれ延びた差込脚１７と、からなり、各羽根部１４の本体１１からの延び寸法Ｌ１が、羽根部１４を基板１５に差し込んだ際に基板裏面からの羽根部１４の突出長さが所定の規定内に収まるよう、設定されている。【選択図】  図１
2005341641.tif 000002
【特許請求の範囲】
【請求項１】
基板上に導電性部品として取り付けられるバスバーにおいて、
四角板状の本体と、本体の両縁から本体に対して直角に且つ同方向に延びた２つの羽根部と、２つの羽根部の同じ側の側縁からそれぞれ延びた差込脚と、からなり、
各羽根部の本体からの延び寸法が、羽根部を基板に差し込んだ際に基板裏面からの羽根部の突出長さが所定の規定内に収まるよう、設定されていることを特徴とするバスバー。
【請求項２】
２つの羽根部の本体からの延び寸法が、同じに設定されている、請求項１に記載のバスバー。
【発明の詳細な説明】
【技術分野】
【０００１】
本発明は、電源装置等の電子機器の基板上に、導電性部品として取り付けられる、バスバー（平型導体単心電線）に関するものである。
【背景技術】
【０００２】
電源装置等の電子回路の配線接続においては、導電性の接続部品の１つとして、バスバーが使用されることがある。例えば、特許文献１には、電子回路にバスバーを用いた例が開示されている。
【０００３】
ところで、従来のバスバーには、図６に示すものがある。このバスバー５１は、基板５６上に取り付けられるものであって、長方形板状の本体５２と、本体の長手方向両縁から本体に対して直角に且つ同方向に折り曲げられた２つの羽根部５４と、２つの羽根部５４の下縁からそれぞれ延びた２つの差込脚５５とからなり、２つの羽根部５４の長さＬ１，Ｌ２が、相互に異なっているものである。
【０００４】
そして、このバスバー５１は、本体５２及び羽根部５４を基板５６に対して垂直な姿勢にし、２つの差込脚５５を基板５６の接続孔５７に差し込むことによって、基板５６に取り付けられる。
【０００５】
【特許文献１】特開平１０−１０８３６１号公報
【発明の開示】
【発明が解決しようとする課題】
【０００６】
上記のようなバスバーの形状は、他の部品との配置関係を考慮して（例えば、他の部品との干渉を避けるように）設計され、１種のバスバーは、通常、１種の配置態様で基板に取り付けることしか想定されていない。
【０００７】
例えば、図６に示す従来のバスバー５１では、本体５２を基板５６に対して垂直にした配置態様（縦置き）で取り付けることしかできない。つまり、従来のバスバー５１を、異なる配置態様で、例えば、羽部５４を下方に向けて本体５２を基板５６に対して平行にした配置態様（横置き）で取り付けると、長い（長さＬ１の）羽根部５４が基板１５の裏面から大きく突出する。この突出量（突出長さ）Ｘには、許容範囲となる所定の規定があり、従来のバスバー５１では、長い羽根部５４が規定を超えるために、「横置き」での取り付けは不可能であった。
【０００８】
以上のように、従来のバスバーでは、１種の配置態様で基板に取り付けることしか想定されていないため、様々な配置態様に応じた多種多様な形状が存在し、製作上、多種の金型や治具が必要となり、製造コストがかかっていた。また、バスバーを取り扱う工程においても、管理が非常に面倒になるという問題があった。
【０００９】
本発明は、このような実情に鑑みてなされたものであり、その目的は、１つのバスバーを複数の配置態様で基板に取り付けることができるようにし、製造コストの削減及び部品管理の容易化を図るバスバーを提供することにあり、より具体的には、「縦置き」の配置態様だけでなく、「横置き」の配置態様での基板への取り付けを可能にして、製造コストの削減及び部品管理の容易化を図るバスバーを提供することにある。
【課題を解決するための手段】
【００１０】
請求項１記載の発明は、基板上に導電性部品として取り付けられるバスバーにおいて、四角板状の本体と、本体の両縁から本体に対して直角に且つ同方向に延びた２つの羽根部と、２つの羽根部の同じ側の側縁からそれぞれ延びた差込脚と、からなり、各羽根部の本体からの延び寸法が、羽根部を基板に差し込んだ際に基板裏面からの羽根部の突出長さが所定の規定内に収まるよう、設定されていることを特徴とする。
【００１１】
請求項２記載の発明は、２つの羽根部の本体からの延び寸法が、同じに設定されていることを特徴とする。
【発明の効果】
【００１２】
請求項１及び２記載の発明によれば、バスバーは、差込脚を基板に差し込んで取り付ける態様（「縦置き」）と、羽根部を基板に差し込んで取り付ける態様（「横置き」）との、２つの配置態様を取り得るものとなる。したがって、１種類のバスバーによって複数種類の配置態様を提供でき、各配置態様毎にバスバーを製作するのに比べて、金型や治具を削減でき、省資源化及び製造コストの削減を図ることができる。
【００１３】
また、バスバーを取り扱う工程において、１種類のバスバーを管理するだけでよいので、部品の工程管理を削減できる。また、１種類の配置態様しか提供できなかった従来のバスバーに比して、他の部品の配置の自由度を増すことができる。
【発明を実施するための最良の形態】
【００１４】
図１は、本発明の実施形態に係るバスバー１０の斜視図である。バスバー１０は、本体１１と羽根部１４と差込脚１７とからなっている。
【００１５】
本体１１は、四角板状、具体的には長方形板状に形成されている。羽根部１４は、２つ備えられており、それぞれ本体１１の長手方向端縁に設けられている。２つの羽根部１４は、本体１１に対して同じ方向に直角に延びている。バスバー１０は、本体１１と羽根部１４とによって平面視コの字形状を呈している。
【００１６】
また、本体１１と羽根部１４とは、一枚の長方形の板体の長手方向両端部を直角に折り曲げることによって一体的に形成されている。２つの羽根部１４の長さ（本体１１からの延び寸法）Ｌ１は同じに設定されている。
【００１７】
差込脚１７は、２つ備えられており、各差込脚１７は、２つの羽根部１４の同じ側の側縁からそれぞれ延びている。言い換えると、差込脚１７は、羽根部１４の延び方向（本体１１に対する折曲り方向）に直交する方向であって、羽根部１４の板面に沿う方向に延びている。具体的には、差込脚１７は、羽根部１４の下縁から下方に延びている。
【００１８】
差込脚１７の幅Ｈ１は羽根部１４の長さＬ１よりも小さく、差込脚１７の長さＬ２は羽根部１４の長さＬ１と略同じに設定されている。差込脚１７は、羽根部１４の先端に設けられ、羽根部１４と差込脚１７とによって、側面視でＬ字状を呈している。
【００１９】
上記バスバー１０は、次のように製作される。まず、１種類の金型を用いて、板体を、本体１１と羽根部１４とを折り曲げる前の展開されたバスバー１０の形状に打ち抜く。そして、展開された状態のバスバー１０を、１種類の治具を用いて、本体１１と羽根部１４との境界で折り曲げ、所定の形状に成形する。
【００２０】
バスバー１０が取り付けられる基板１５には、差込脚１７を差し込むための接続孔１８が形成されている。この接続孔１８に差込脚１７を差し込み、バスバー１０を基板１５に取り付けると、図２に示す配置態様となる。図２は、バスバー１０を基板１５に取り付けた状態の側面図である。このとき、本体１１の板面１９は、基板１５に対して９０°の角度をなしている。この配置態様を「縦置き」と称する。
【００２１】
一方、本実施形態のバスバー１０は、羽根部１４を差込脚として用いることも可能となっている。すなわち、図３に示すように、バスバー１０の羽根部１４を下方に向け、羽根部１４を基板１５の接続孔１８に差し込むことにより、バスバー１０を基板１５に取り付けることも可能となっている。なお、接続孔１８は、羽根部１４を差し込むために長く形成される。
【００２２】
この場合、バスバー１０の本体１１は、基板１５に対して０°の角度をなして配置される。換言すると、本体１１は基板１５と平行に配置される。この配置態様を「横置き」と称する。
【００２３】
このように横置きの配置態様でバスバー１０を基板１５に取り付けた場合、両方の羽根部１４の長さＬ１が同じであるので、基板１５の裏面側からの突出量Ｘも同じになる。
【００２４】
そして、両羽根部１４の長さＬ１は、基板１５の裏面側からの突出長さＸが所定の規定内に収まるように設定されており、これによって、適正に「横置き」の配置態様でバスバー１０を基板１５に取り付けることができるようになっている。
【００２５】
以上のように、本実施形態に係るバスバー１０では、差込脚１７だけでなく羽根部１４についても、バスバー１０を基板１５に取り付けるための取付部として用いることができ、夫々を用いて基板１５に取り付けられたバスバー１０の本体１１は、基板１５に対する板面１９の角度が互いに異なるように配置される。すなわち、１種類のバスバー１０によって、「縦置き」と「横置き」の複数（２種類）の配置態様が提供できる。
【００２６】
このため、いままで、２種類の配置態様を実現するためには２種類のバスバー１０が必要であり、且つ、それぞれを製作するために２種類の金型や治具が必要であったところ、本実施形態のバスバー１０では、１種類の金型や治具を必要とするだけであるので、製作コストの削減を図ることができる。
【００２７】
また、バスバー１０を取り扱う工程においても、１種類のバスバー１０を管理するだけでよいので、部品管理工程を削減できる。
【００２８】
また、本実施形態のバスバー１０は、２種類の配置態様を提供できるため、バスバー１０とともに基板１５に取り付けられる他の部品やバスバーの近傍に配置される他の部品等も配置の自由度を増すことができる。
【００２９】
本発明のバスバー１０は、上記実施形態に限るものではなく、特許請求の範囲内において適宜設計変更可能である。例えば、次のような変更が可能である。
【００３０】
（１）差込脚１７の数は２本（２個）とするに限らず、３以上とすることができる。
【００３１】
（２）羽根部１４に対する差込脚１７の形成位置も、羽根部１４の先端位置に限定されず、基端位置２０（導電性本体１１との境界付近）、又は先端と基端２０との中間位置に形成することができる。また、差込脚１７は、羽根部１４の上辺２３にも形成することができ、導電性本体１１の下辺２１及び／又は上辺２２にも形成することができる。
【００３２】
（３）差込脚１７の幅Ｈ１は、導電性本体１１の羽根部１４の長さＬ１と略同じに形成することができる。
【００３３】
（４）２つの羽根部１４は、基板１５に差し込んだ際に、基板１５の裏面からの突出量が所定の規定内に収まる限り、相互に異なる長さとすることも可能である。
【産業上の利用可能性】
【００３４】
本発明は、電源装置等の基板に取り付けられるバスバーとして有効に利用できる。
【図面の簡単な説明】
【００３５】
【図１】本発明の実施形態にかかるバスバーを示す斜視図である。
【図２】バスバーを縦置きの配置態様で基板に取り付けた状態を示す側面図である。
【図３】羽根部を下向きにした姿勢のバスバーを示す斜視図である。
【図４】バスバーを横置きの配置態様で基板に取り付けた状態を示す側面図である。
【図５】同正面図である。
【図６】従来のバスバーを示す斜視図である。
【図７】従来のバスバーを横置きの配置態様で基板に取り付けた状態を示す正面図である。
【符号の説明】
【００３６】
１０  バスバー
１１  本体
１４  羽根部
１５  基板
１７  差込脚
【図１】
2005341641.tif 000003
【図２】
2005341641.tif 000004
【図３】
2005341641.tif 000005
【図４】
2005341641.tif 000006
【図５】
2005341641.tif 000007
【図６】
2005341641.tif 000008
【図７】
2005341641.tif 000009